(57)【要約】【課題】照明灯の昇降時におけるケーブルの損傷を防止するとともに、作業者の作業効率を向上させることができる投光機を提供することを目的とする。【解決手段】バルーン照明機１は、給電ケーブル５を介して供給される電力によって発光する光源を有する照明バルーン４と、伸縮自在の複数段のマストからなる昇降装置３と、昇降装置３を支持する台車２とを備え、昇降装置３の最上段の第３マスト３３の上端部に照明バルーン４を設け、昇降装置３の各段のマストが、収縮時に下段のマストに挿嵌されない位置に、給電ケーブル５をマストの高さ方向に沿って保持する第１ケーブルガイド１１０、第２ケーブルガイド１２０、第３ケーブルガイド１３０をそれぞれ備える。【選択図】  図１
2008270078.tif 000002
【特許請求の範囲】
【請求項１】
給電ケーブルを介して供給される電力によって発光する光源を有する投光部と、
伸縮自在の複数段のマストからなる昇降装置と、
前記昇降装置を支持するマスト支持部とを備え、
前記昇降装置の最上段のマストの上端部に前記投光部を設けてなる投光機であって、
前記昇降装置の各段のマストが、収縮時に下段のマストに挿嵌されない位置に、前記給電ケーブルを前記マストの高さ方向に沿って保持するケーブル保持部をそれぞれ備えたことを特徴とする投光機。
【請求項２】
前記ケーブル保持部は、前記各段のマストにおいて、前記マストの高さ方向からの平面視において互いに異なる位置で、前記給電ケーブルを保持することを特徴とする請求項１に記載の投光機。
【請求項３】
前記ケーブル保持部は、可撓性を有して前記給電ケーブルを保持することを特徴とする請求項１〜２のいずれかに記載の投光機。
【請求項４】
前記投光部は、前記光源を内部に有するバルーンを備え、前記バルーンに前記光源からの光を透過させて発光するように構成され、
前記マスト支持部は、移動自在の台車からなり、前記台車上に電力供給源として発電機を載置されて構成されたことを特徴とする請求項１〜３のいずれかに記載の投光機。
【発明の詳細な説明】
【技術分野】
【０００１】
本発明は、土木工事現場やイベント会場等の夜間照明用に使用される投光機に関する。
【背景技術】
【０００２】
道路などの新設・修復工事は、交通規制等のために夜間に行われることが度々であり、また、工事の性質上移動がともなうので移動性のある夜間照明として移動台車を備えた投光機が用いられている。従来の投光機では、照明灯を構成する電球から光が直接的に発光するとともに、リフレクタで反射した光がリフレクタの照射範囲内で照射されるため、投光機が発する光は眩しく、例えば、投光機からの光が走行車両の運転者の目に直接入るとグレアにより一瞬目が見えなくなる等の虞があり、走行車両の運転者にとって運転がしづらくなるという問題があった。
【０００３】
そこで近年、道路などの新設・修復工事には、目に優しい照明が得られる照明バルーンを備えたバルーン照明機が使用され始めている。バルーン照明機に用いられる照明バルーンは、光源としての電球と、この電球を内部に有する膨張及び収縮自在なバルーンとを有して構成され、電球からの光をバルーンに透過させることで発光するようになっている。これにより電球からの光がバルーンを介して発せられるため、グレアが低く目に優しい照明を得ることができる（例えば、特許文献１参照）。
【０００４】
このような投光機（バルーン照明機）は、前後輪を備えた移動台車上に伸縮自在の複数段のマストからなる昇降装置を載置固定し、その最上段のマストの上端部に照明灯（照明バルーン）を取り付けてなり、ウィンチによりワイヤーロープを巻き解きすることによりマストを介して照明灯を昇降させるようになっている。さらに、移動台車上には電力供給源としての発電機やバッテリが載置固定されており、この発電機やバッテリからケーブルを介して供給される電力によって照明灯を発光させるようになっている。
【０００５】
【特許文献１】特開２００４‐９５５１７号公報
【発明の開示】
【発明が解決しようとする課題】
【０００６】
上記の従来の投光機では、発電機やバッテリから照明灯に電力を供給するケーブルが、特に固定等は為されておらず、上部にある照明灯から自然に垂れ下がった状態（自由な状態）で下部にある発電機やバッテリに接続されていた。例えば、昇降装置を介して照明灯を上昇させる際に、ケーブルが台車等に引掛かって損傷し、極端な場合には切断するという問題があった。また、照明灯を下降させて投光機を収納状態にする際に、作業者が弛んで垂れ下がったケーブルを纏めて台車上に載置する等の余計な作業によって、作業効率が低下するという問題があった。
【０００７】
本発明はこのような課題に鑑みてなされたものであり、照明灯の昇降時におけるケーブルの損傷を防止するとともに、作業者の作業効率を向上させることができる投光機を提供することを目的とする。
【課題を解決するための手段】
【０００８】
上記課題を解決して目的を達成するため、本発明に係る投光機（例えば、実施形態におけるバルーン照明機１）は、給電ケーブル（例えば、実施形態における給電ケーブル５）を介して供給される電力によって発光する光源（例えば、実施形態におけるメタルハライドランプ５１、白熱ランプ５２）を有する投光部（例えば、実施形態における照明バルーン４）と、伸縮自在の複数段のマスト（例えば、実施形態における第１マスト３１、第２マスト３２、第３マスト３３）からなる昇降装置（例えば、実施形態における昇降装置３）と、前記昇降装置を支持するマスト支持部（例えば、実施形態における台車２）とを備え、前記昇降装置の最上段のマスト（例えば、実施形態における第３マスト３３）の上端部に前記投光部を設け、前記昇降装置の各段のマストが、収縮時に下段のマストに挿嵌されない位置に、前記給電ケーブルを前記マストの高さ方向に沿って保持するケーブル保持部（例えば、実施形態における第１ケーブルガイド１１０、第２ケーブルガイド１２０、第３ケーブルガイド１３０）をそれぞれ備える。
【０００９】
また、前記ケーブル保持部は、前記各段のマストにおいて、前記マストの高さ方向からの平面視において互いに異なる位置で、前記給電ケーブルを保持することが好ましい。
【００１０】
さらに、前記ケーブル保持部は、可撓性を有して前記給電ケーブルを保持することが好ましい。
【００１１】
また、前記投光部は、前記光源を内部に有するバルーン（例えば、実施形態における照明バルーン４）を備え、前記バルーンに前記光源からの光を透過させて発光するように構成され、前記マスト支持部は、移動自在の台車（例えば、実施形態における台車２）からなり、前記台車上に電力供給源として発電機（例えば、実施形態における発電機２６）を載置されて構成されることが好ましい。
【発明の効果】
【００１２】
本発明に係る投光機では、給電ケーブルを介して供給される電力によって発光する光源を有する投光部と、伸縮自在の複数段のマストからなる昇降装置と、昇降装置を支持するマスト支持部とを備え、昇降装置の最上段のマストの上端部に前記投光部を設け、昇降装置の各段のマストが、収縮時に下段のマストに挿嵌されない位置に、給電ケーブルをマストの高さ方向に沿って保持するケーブル保持部をそれぞれ備えて構成されるので、マスト毎に給電ケーブルを弛みすぎ若しくは張りすぎのない程度の所定の長さで保持することができ、投光部の昇降時に給電ケーブルが台車、ウィンチ、操向ハンドル等の突起物に引掛かって損傷することを防止することができる。また、投光部を下降させる際に、ケーブル保持部によって給電ケーブルを所定の収納状態にすることができ、作業者に余計な作業をさせることがなくなり、作業効率を向上させることができる。
【００１３】
また、ケーブル保持部は、各段のマストにおいて、マストの高さ方向からの平面視において互いに異なる位置で、給電ケーブルを保持するように構成されるので、投光部の昇降時に、ケーブル保持部もしくは給電ケーブル同士が当接するのを防ぎ、昇降装置をスムーズに伸縮動させることができるとともに、給電ケーブルをストレスのない状態で保持することができる。
【００１４】
さらに、ケーブル保持部は、可撓性を有して給電ケーブルを保持するように構成されるので、給電ケーブルをストレスのない状態で保持することができるとともに、投光機の使用時もしくは移動時などに、ケーブル保持部に外部から衝突等による外圧が加えられた場合に、この外圧によるケーブル保持部自体の損傷を防止することができる。
【００１５】
また、投光部は、光源を内部に有するバルーンを備え、バルーンに光源からの光を透過させて発光するように構成され、マスト支持部は、移動自在の台車からなり、台車上に電力供給源として発電機を載置されて構成されるので、グレアが低く目に優しい照明を得ることができるバルーン照明機においても、投光部の昇降時における給電ケーブルの損傷を防止するとともに、作業者の作業効率を向上させることができる。
【発明を実施するための最良の形態】
【００１６】
以下、本発明の好ましい実施形態について図面を参照して説明する。まず、本発明に係る投光機の一例としてバルーン照明機１の照明バルーン４が使用状態及び収納状態にある様子を示す側面図をそれぞれ図１及び図２に示しており、この図を参照してバルーン照明機１の全体構成について概要説明する。このバルーン照明機１は、移動自在な台車２と、この台車２上に配設された伸縮可能な昇降装置３と、昇降装置３に支持された照明バルーン４とを主体に構成される。
【００１７】
台車２は、左右一対の前輪２１及び後輪２２を備えて、移動自在に構成されており、バルーン照明機１を容易に移動させることができるようになっている。台車２には、前後輪２１，２２の方向変換用の操向ハンドル２３や、後輪２２を制動するブレーキ装置２４、左右一対のアウトリガー２５等が設けられている。また、台車２上には、昇降装置３や、照明バルーン４に給電ケーブル５を介して電力を供給可能な発電機２６が搭載されている。
【００１８】
昇降装置３は、台車２上に立設固定された第１マスト３１と、第１マスト３１内に出入り自在に挿嵌された第２マスト３２と、第２マスト３２内に出入り自在に挿嵌された第３マスト３３とを主体に構成され、この第３マスト３３の上端部に照明バルーン４が取り付けられる。そして、第１マスト３１に配設されたウィンチ３４のハンドル３５を回してワイヤーロープ３６を巻き取ることにより、第３マスト３３、第２マスト３２の順に段階的に上昇させるように構成されている。また、ウィンチ３４のハンドル３５を逆回転してワイヤーロープ３６を繰り出すことにより、第２マスト３２、第３マスト３３の順に段階的に下降するように構成されている。
【００１９】
昇降装置３を構成する第１マスト３１、第２マスト３２、第３マスト３３には、図１〜３に示すように、発電機２６から照明バルーン４（後述するメタルハライドランプ５１及び白熱ランプ５２）に電力を供給する給電ケーブル５をマストの高さ方向に沿って保持する第１ケーブルガイド１１０、第２ケーブルガイド１２０、第３ケ−ブルガイド１３０がそれぞれ設けられている。なお、図３における第２ケーブルガイド１２０及び第３ケーブルガイド１３０の説明においては、図中に示すように前後左右、及び上下を定義する（図３参照）。
【００２０】
第１ケーブルガイド１１０は、ネジ等の固定手段により第１マスト３１の上部に外方に突出するように設けられており、その先端部において給電ケーブル５を保持している。この第１ケーブルガイド１１０は、発電機２６からのびる給電ケーブル５を弛みすぎ若しくは張りすぎのない程度の所定の長さで保持するようになっている。
【００２１】
第２ケーブルガイド１２０は、図３に示すように、山形鋼を用いてL字状に形成されたケーブル保持部材１２１と、金属材料を用いて板状に形成された固定部材１２２及び支持部材１２３とから構成される。固定部材１２２は、第２マスト３２から右方に突出するように第２マスト３２の上端にネジ部材１２４ａ，１２４ａを用いて取り付けられ、支持部材１２３は、さらに右方に張り出すように固定部材１２２の右側端にネジ部材１２４ｂ，１２４ｂを用いて取り付けられる。ケーブル保持部材１２１は、支持部材１２３から後方に突出してその先端から下方に延びるように（右側方からの平面視においてＬ字状をなすように）、支持部材１２３の右側端にネジ部材１２４ｃ，１２４ｃを用いて取り付けられる。
【００２２】
ケーブル保持部材１２１は、図３及び図４に示すように、支持部材１２３に取り付けられる上側保持部材１２１ａ（右側方からの平面視においてＬ字状）と、上側保持部材１２１ａの下端からさらに下方に延びる下側保持部材１２１ｂとをコイル部材１２５によって連結されて構成される。なお、コイル部材１２５は、弾性を有する線材をコイルバネ状に成形されている。ケーブル保持部材１２１は、係止部材１２６，１２６を用いて給電ケーブル５をケーブル保持部材１２１の内側（山形鋼の内側）に内接するように（ケーブル保持部材１２１のＬ字形状に沿うように）係止し、給電ケーブル５を保持している。第１ケーブルガイド１１０によって保持され更に上方にのびる給電ケーブル５は、ケーブル保持部材１２１の下側保持部材１２１ｂの下端からケーブル保持部材１２１（マストの高さ方向）に沿って保持され、ケーブル保持部材１２１の上側保持部材１２１ａの前端から第３ケーブルガイド１３０へ伸びるようになっている。
【００２３】
なお、上側保持部材１２１ａと下側保持部材１２１ｂとがコイル部材１２５によって連結されることによって、ケーブル保持部材１２１は可撓性を有すること（コイル部材１２５を支点に下側保持部材１２１ｂが揺動自在）となり、昇降装置３の伸縮時においても安定して給電ケーブル５を保持することができるようになっている。また、この第２ケーブルガイド１２０は、第１ケーブルガイド１１０によって保持され更に上方にのびる給電ケーブル５を、第２マスト３２が第１マスト３１に対して最上位置に上昇した時に、弛みすぎ若しくは張りすぎのない程度の所定の長さで保持するようになっている。
【００２４】
第３ケーブルガイド１３０は、山形鋼を用いてL字状に形成され、第３マスト３３から右方に突出してその先端から下方に延びるように（前方からの平面視においてＬ字状をなすように）、第３マスト３３の上端にネジ部材１３１，１３１を用いて取り付けられる。第３ケーブルガイド１３０は、ケーブル保持部材１２１と同様にして、第３マスト３３に取り付けられる上側保持部材１３０ａ（前方からの平面視においてＬ字状）と、上側保持部材１３０ａの下端からさらに下方に延びる下側保持部材１３０ｂとをコイル部材１３２によって連結されて構成される。コイル部材１３２は、弾性を有する線材をコイルバネ状に成形されている。第３ケーブルガイド１３０は、係止部材１３３，１３３を用いて給電ケーブル５が第３ケーブルガイド１３０の内側（山形鋼及びコイルの内側）に内接するように係止し、給電ケーブル５を保持している。第２ケーブルガイド１２０によって保持され、ケーブル保持部材１２１の上側保持部材１２１ａの前端からのびる給電ケーブル５は、第３ケーブルガイド１３０の下側保持部材１３０ｂの下端から下側保持部材１３０ｂ及びコイル部材１３２の内側（マストの高さ方向）に沿って保持され、コイル部材１３２の上端から照明バルーン４へ伸びるようになっている。
【００２５】
なお、上側保持部材１３０ａと下側保持部材１３０ｂとがコイル部材１３２によって連結されることによって、第３ケーブルガイド１３０は可撓性を有すること（コイル部材１３２を支点に下側保持部材１３０ｂが揺動自在）となり、昇降装置３の伸縮時においても安定して給電ケーブル５を保持することができるようになっている。また、この第３ケーブルガイド１３０は、第２ケーブルガイド１２０によって保持されてケーブル保持部材１２１の上側保持部材１２１ａの前端からのびる給電ケーブル５を、第３マスト３３が第２マスト３２に対して最上位置に上昇した時に、弛みすぎ若しくは張りすぎのない程度の所定の長さで保持するようになっている。
【００２６】
照明バルーン４は、図５に示すように、薄い可撓性の材料からなる膨張可能なバルーン４０と、このバルーン４０内の中央に配設された照明装置５０と、バルーン４０を膨張させるバルーン膨張装置５５とを備えて構成され、照明装置５０からの光をバルーン４０に透過させることで発光するようになっている。
【００２７】
バルーン４０は、図１及び図５に示すように、膨張状態において略楕円形態を呈し、長軸に沿って上下の半楕円部４１，４２に分割され、これら上下の半楕円部４１，４２をつなぎ合わせて形成されている。バルーン４０の材料としては、例えば、プラスチック処理が施された白色の布や、単純な白色のプラスチック製フィルム等がある。そして、上側の半楕円部４１の内側は、アルミコーティングされた光反射板になっている。また、下側の半楕円部４２の下部には、複数のエア抜き穴（図示せず）が形成されている。
【００２８】
照明装置５０は、主光源としてのメタルハライドランプ５１と、メタルハライドランプ５１より輝度の低い白熱ランプ５２と、メタルハライドランプ５１及び白熱ランプ５２を囲むガード部材５３と、これらを支持する支持脚部６０とを備えて構成される。メタルハライドランプ５１は、金属蒸気（水銀及び金属ハロゲン化物）が充填された発光管（図示せず）を主体に構成され、金属蒸気中の放電によって発光するようになっている。また、メタルハライドランプ５１の電力は、１０００Ｗである。白熱ランプ５２の電力は４０Ｗであり、メタルハライドランプ５１より光束及び演色性が低くなるようになっている。なお、白熱ランプ５２は瞬時に（又は短時間で）再点灯可能なランプである。
【００２９】
ガード部材５３は、金属材料を用いて筒形柵状に形成され、メタルハライドランプ５１及び白熱ランプ５２の上方を囲むように支持脚部６０の上側プレート部材６５に取り付けられる。これにより、バルーン４０の収縮時に、バルーン４０が高温のメタルハライドランプ５１もしくは白熱ランプ５２に接触して損傷（溶融等）してしまうのを防止することができるようになっている。なお、ガード部材５３の上部には、振れ止め部材５８が取り付けられており、メタルハライドランプ５１の上部を固定保持して、輸送時の衝撃によるメタルハライドランプ５１の損傷を防止するようになっている。また、ガード部材５３の上端には、バルーン４０の天井部に繋がって設けられたバルーンクリップ５９が係止しており、強風時にバルーン４０が揺れるのを防止するようになっている。
【００３０】
支持脚部６０は、照明バルーン４の下方に突出する脚部材６１と、脚部材６１の上端に連結された下側プレート部材６２と、下側プレート部材６２の上面側に取り付けられた筒部材６３と、筒部材６３の上端に取り付けられた上側プレート部材６５とを有して構成される。脚部材６１は、金属材料を用いて丸棒状に形成され、上端が下側プレート部材６２の下面側に連結されるとともに、下端がバルーン連結部７０に連結される。
【００３１】
バルーン連結部７０は、図１に示すように、第３マスト３３（昇降装置３）の上端に設けられており、このバルーン連結部７０に脚部材６１の下端を連結させることで、照明バルーン４が第３マスト３３の上端に取り付けられるようになっている。なお、バルーン連結部７０に設けられた傾斜ハンドル７１を回転させることで、照明バルーン４を鉛直状態から水平状態まで傾斜させることができるようになっている。
【００３２】
下側プレート部材６２は、金属材料を用いて円盤状に形成され、バルーン４０の下端部に対しバルーン４０の開口部（図示せず）を塞ぐように取り付けられる。下側プレート部材６２の上面側には筒部材６３が取り付けられている。下側プレート部材６２には、多数の小孔（図示せず）が形成されており、バルーン４０の内外へ空気が通過できるようになっている。
【００３３】
筒部材６３は、金属材料を用いて筒状に形成され、ネジ等の固定手段により下側プレート部材６２の上面側、すなわちバルーン４０の内部に取り付けられる。筒部材６３の内部には、バルーン４０を膨張させるバルーン膨張装置５５が設けられている。バルーン膨張装置５５は、空気を送風可能なシロッコファン５６を主体に構成され、このシロッコファン５６を作動させることで、外部空気が下側プレート部材６２の小孔（図示せず）からバルーン４０の内部に送り込まれるようになっている。
【００３４】
上側プレート部材６５は、金属材料を用いて円盤状に形成され、ネジ等の固定手段により筒部材６３の上端部（すなわち、バルーン４０の内部）に取り付けられる。上側プレート部材６５の中央上面側には、ＨＩＤ用モーガルソケット６６が取り付けられており、このＨＩＤ用モーガルソケット６６にメタルハライドランプ５１が立設されるようになっている。これにより、上側プレート部材６５（支持脚部６０）を用いてメタルハライドランプ５１がバルーン４０の内部中央に固定保持される。
【００３５】
上側プレート部材６５の上面側におけるＨＩＤ用モーガルソケット６６の近傍には、電球用ソケット６７が取り付けられており、この電球用ソケット６７に白熱ランプ５２が立設されるようになっている。これにより、上側プレート部材６５（支持脚部６０）を用いて白熱ランプ５２がメタルハライドランプ５１の近傍で固定保持される。また、上側プレート部材６５には、複数の通風孔（図示せず）が形成されており、バルーン膨張装置５５により下側プレート部材６２の小孔（図示せず）及び筒部材の内部を通過した空気がこの通風孔を通過してバルーン４０の内部に達するようになっている。
【００３６】
このように構成されるバルーン照明機１を用いて照明を行うには、まず、バルーン照明機１を所望の場所に移動させ、昇降装置３を用いて照明バルーン４を所望の高さまで上昇させた後、バルーン膨張装置５５を作動させてバルーン４０を膨張させる。このとき、バルーン膨張装置５５のシロッコファン５６により、バルーン４０外部の空気が下側プレート部材６２の小孔（図示せず）から筒部材６３の内部に送り込まれ、筒部材６３の内部を通過したのち上側プレート部材６５の通風孔（図示せず）からバルーン４０の内部に送られる。
【００３７】
このようにシロッコファン５６を用いて外部空気をバルーン４０の内部に送り込むことで、図１及び図５に示すように、バルーン４０が所定の照明可能な状態まで膨張する。なお、バルーン４０を収縮させるには、バルーン膨張装置５５の作動を停止し、バルーン４０内部の空気をバルーン４０のエア抜き穴（図示せず）等から排出するようにすればよい。
【００３８】
次に、バルーン膨張装置５５を用いてバルーン４０を膨張させた後、メタルハライドランプ５１を点灯させる。そうすると、メタルハライドランプ５１から発せられた光がバルーン４０における下側の半楕円部４２を透過し、これにより照明バルーン４が発光する。このようにして、照明バルーン４からグレアが低く目に優しい光が発せられ、バルーン照明機１による照明が行われる。なお、メタルハライドランプ５１が上側プレート部材６５（支持脚部６０）を用いてバルーン４０の内部中央に固定保持されているため、メタルハライドランプ５１から発せられた光はバルーン４０の内面全体を一様に照らし、輝度ムラが少なく、ほぼ一様な明るさを有する光が照明バルーン４から発せられる。
【００３９】
ところで、供給電圧の急激な変動や瞬断によりメタルハライドランプ５１の立ち消えが生じる場合があり、このときの照度は０ルクスとなる。立ち消えが生じた場合には、メタルハライドランプ５１を再度点灯させることになるが、点灯時の発熱によりメタルハライドランプ５１の発光管（図示せず）が高温状態で、且つ発光管内の圧力が高い状態にあり、放電電圧が高くなるため点灯することができない。発光管が自然冷却して放電電圧が低下すると再び放電を開始し、発光管は徐々に光束を増して定格光束に達する。この間１５分程度の時間を必要とし（すなわち、再点灯に時間を要し）、周囲に他の光源がない場合には暗闇となる。
【００４０】
そこで、メタルハライドランプ５１が立ち消えになった場合、メタルハライドランプ５１に対し独立して点灯及び消灯可能な白熱ランプ５２を補助的に点灯させる。そうすると、白熱ランプ５２から発せられた光がバルーン４０における下側の半楕円部４２を透過し、メタルハライドランプ５１を点灯させる場合よりも低い輝度で照明バルーン４が発光する。このようにして、メタルハライドランプ５１が再点灯するまでの間、白熱ランプ５２を点灯させ補助照明として機能させることで、メタルハライドランプ５１が立ち消えになった場合における作業の安全性を向上させることができる。
【００４１】
上記のように、昇降装置３を用いて照明バルーン４を所望の高さまで上昇もしくは下降させる際、第１〜３ケーブルガイド１１０，１２０，１３０によってマスト毎に給電ケーブル５を弛みすぎ若しくは張りすぎのない程度の所定の長さで保持するので、給電ケーブル５が台車２、ウィンチ３４、操向ハンドル２３等の突起物に引掛かって損傷することを防止することができる。また、昇降装置３の各マストを縮小させるとともに、第１〜３ケーブルガイド１１０，１２０，１３０によって給電ケーブル５を所定の収納状態にすることができ、作業者に余計な作業をさせることがなくなり、作業効率を向上させることができる。
【００４２】
また、第１〜３ケーブルガイド１１０，１２０，１３０は、図３における上方からの平面視において、互いに異なる位置（ずれた位置）で給電ケーブル５を保持するので、照明バルーン４の昇降時に、第１〜３ケーブルガイド１１０，１２０，１３０もしくは給電ケーブル５同士が当接せずに昇降装置３をスムーズに伸縮動させることができる。さらに、第２，第３ケーブルガイド１２０，１３０は、コイル部材１２５，１３２によって可撓性を有して構成されているので、給電ケーブル５をストレスのない状態で保持することができるとともに、バルーン照明機１の使用時もしくは移動時などに、第２，第３ケーブルガイド１２０，１３０に外部から衝突等による外圧が加えられた場合に、この外圧による第２，第３ケーブルガイド１２０，１３０自体の損傷を防止することができる。
【００４３】
なお、本発明は上記の実施形態に限定されるものではなく、その要旨の範囲内において種々の変形が可能である。例えば、第２，第３ケーブルガイド１２０，１３０に形成されたコイル部材１２５，１３２は、弾性を有するゴム材料を用いて成形されてもよく、各ケーブルガイドに可撓性を有して構成されることが望ましい。また、各ケーブルガイドの形状及び位置は上記の実施形態に限られず、マストの高さ方向に沿って給電ケーブル５を保持する形状であればよく、マストの高さ方向からの平面視において異なる位置に設けられることが望ましい。
【図面の簡単な説明】
【００４４】
【図１】本発明に係る投光機の一例として示すバルーン照明機の使用状態を示す側面図である。
【図２】上記バルーン照明機の収納状態を示す側面図である。
【図３】上記バルーン照明機を構成する昇降装置に設けられたケーブルガイドの構成を説明する図である。
【図４】上記ケーブルガイドを構成するケーブル保持部材の構成を説明する図である。
【図５】上記バルーン照明機に構成される照明バルーンの正断面図である。
【符号の説明】
【００４５】
１      バルーン照明機（投光機）
２      台車（マスト支持部）
３      昇降装置（昇降装置）
４      照明バルーン（バルーン）
５      給電ケーブル（給電ケーブル）
２６    発電機（発電機）
３１    第１マスト（マスト）
３２    第２マスト（マスト）
３３    第３マスト（マスト）
５１    メタルハライドランプ（光源）
５２    白熱ランプ（光源）
１１０  第１ケーブルガイド（ケーブル保持部）
１２０  第２ケーブルガイド（ケーブル保持部）
１３０  第３ケーブルガイド（ケーブル保持部）
【図１】
2008270078.tif 000003
【図２】
2008270078.tif 000004
【図３】
2008270078.tif 000005
【図４】
2008270078.tif 000006
【図５】
2008270078.tif 000007